(57)【要約】【課題】  本発明の目的は、光学補正処理の際にレンズ装置の装着あっても、適切に光学補正処理を行うことができること。【解決手段】  レンズ装置（２００）の装着にともなって、当該装着されたレンズ装置に保存されている第１の情報（光学補正データ）を取得し、当該取得した第１の情報に基づいて、撮像手段から出力された第１の信号を第２の信号に信号処理する処理手段（１０６）と、前記処理手段による第１の信号から第２の信号への信号処理の際に、レンズ装置の装着があったときには、レンズ装置の装着がなかった場合には行わない制限を前記処理手段による処理のときに行う制御手段を有する。【選択図】  図２
2014017769.tif 000002
【特許請求の範囲】
【請求項１】
レンズ装置の装着にともなって、当該装着されたレンズ装置に保存されている第１の情報を取得し、当該取得した第１の情報に基づいて、撮像手段から出力された第１の信号を第２の信号に信号処理する処理手段と、
前記処理手段による第１の信号から第２の信号への信号処理の際に、レンズ装置の装着があったときには、レンズ装置の装着がなかった場合には行わない制限を前記処理手段による処理のときに行う制御手段を有することを特徴とする撮像装置。
【請求項２】
前記制御手段は、前記処理手段による第１の信号から第２の信号への信号処理の際に、レンズ装置の装着があったときには、第１の情報を書き換えないことを特徴とする請求項１に記載の撮像装置。
【請求項３】
前記制御手段は、前記処理手段による第１の信号から第２の信号への信号処理の際に、新たなレンズ装置の装着があったときに、前記取得手段による前記第１の情報の取得を制限することを特徴とする請求項１または２に記載の撮像装置。
【請求項４】
前記制御手段は、前記処理手段による第１の信号から第２の信号への信号処理の際に、レンズ装置の装着があったとき、前記取得手段による前記第１の情報の取得を制限し、当該信号処理の後に当該制限を解除することを特徴とする請求項１乃至３のいずれか１項に記載の撮像装置。
【請求項５】
前記制御手段は、前記処理手段による第１の信号から第２の信号への信号処理の際に、新たなレンズ装置の装着があったときに、前記撮像手段による撮像を制限することを特徴とする請求項１または２に記載の撮像装置。
【請求項６】
前記制御手段は、前記処理手段による第１の信号から第２の信号への信号処理の際に、新たなレンズ装置の装着があったときに、前記撮像手段による撮像を制限し、当該新たに装着されたレンズ装置に保存されている第１の情報を取得した後に当該撮像の制限を解除することを特徴とする請求項１、２、または５の何れか１項に記載の撮像装置。
【請求項７】
前記第１の情報を記憶する記憶手段を有し、
前記制御手段は、前記処理手段による第１の信号から第２の信号への信号処理の際に、新たなレンズ装置の装着があったときに、前記第１の情報を前記記憶部の所定アドレスに保存することを制限する特徴とする請求項１または２に記載の撮像装置。
【請求項８】
前記制御手段は、前記信号処理の後に、前記第１の情報を前記記憶部の所定アドレスに保存することを特徴とする請求項７に記載の撮像装置。
【請求項９】
前記通信手段を用いて、装着されたレンズ装置に保存されている第１の情報を取得する取得手段とを有することを特徴とする請求項１乃至８のいずれか１項に記載の撮像装置。
【請求項１０】
前記取得手段で取得した第１の情報を記憶する記憶手段を有することを特徴とする請求項１乃至６のいずれか１項に記載の撮像装置。
【請求項１１】
前記処理手段は、前記撮像手段から出力された第１の信号を前記記憶手段に記憶されている第１の情報に基づいて第２の信号に信号処理することを特徴とする請求項１０に記載の撮像装置。
【請求項１２】
前記取得手段は、第２の情報としての光学系データを前記レンズ装置から取得することを特徴とする請求項１乃至１１に記載の撮像装置。
【請求項１３】
前記処理手段は、前記記憶手段に記憶されている第１の情報と前記第２の情報に基づいて前記撮像手段から出力された第１の信号を第２の信号に信号処理することを特徴とする請求項１２に記載の撮像装置。
【請求項１４】
撮像装置の制御方法であって、
レンズ装置の装着にともなって、当該装着されたレンズ装置に保存されている第１の情報を取得し、当該取得した第１の情報に基づいて、撮像手段から出力された第１の信号を第２の信号に信号処理する処理ステップと、
前記処理ステップにおける第１の信号から第２の信号への信号処理の際に、レンズ装置の装着があったときには、レンズ装置の装着がなかった場合には行わない制限を前記処理手段による処理のときに行う制限ステップとを有することを特徴とする撮像装置の制御方法。
【発明の詳細な説明】
【技術分野】
【０００１】
本発明は、撮像装置に関し、レンズ装置から取得した情報を加味して信号処理する技術に関するものである。
【背景技術】
【０００２】
従来、たとえば、撮像された信号に対してレンズ装置の光学特性に起因する収差などの影響を補正するとき（以下、光学補正処理ともいう。）、当該補正に係る補正情報を利用して補正していた。
【０００３】
この際、たとえば、特許文献１には、撮像装置において内挿演算または外挿演算を行うことが記載されています。そのため、レンズ装置から撮像装置への通信する補正係数テーブルのデータ量を少なくし、起動時間の短縮が可能となることが記載されている。
【先行技術文献】
【特許文献】
【０００４】
【特許文献１】特開２００９−２９０８６３号公報
【発明の概要】
【発明が解決しようとする課題】
【０００５】
しかしながら、通信するデータ量が少なくなったとしても、光学補正処理には相当程度の時間を要し、特に連続撮影の際には、光学補正処理を含む信号処理に要する時間がさらに長時間になる。してみれば、光学補正処理の最中に補正係数テーブルを格納したレンズ装置が改めて装着されてしまう場合も起りえる。
【課題を解決するための手段】
【０００６】
上記課題を達成するために、レンズ装置の装着にともなって、当該装着されたレンズ装置に保存されている第１の情報を取得し、当該取得した第１の情報に基づいて、撮像手段から出力された第１の信号を第２の信号に信号処理する処理手段と、前記処理手段による第１の信号から第２の信号への信号処理の際に、レンズ装置の装着があったときには、レンズ装置の装着がなかった場合には行わない制限を前記処理手段による処理のときに行う制御手段を有することを特徴とする。
【発明の効果】
【０００７】
本発明によれば、光学補正処理を有する信号処理が行われているときに、光学補正処理に供される第１の情報を保存するレンズ装置が新たに装着されたとしても、適正な信号処理が可能な撮像装置を提供することができる。
【図面の簡単な説明】
【０００８】
【図１】撮像装置１００および撮影レンズ２００の構成ブロック図である。
【図２】第１の実施例での制御フローである。
【図３】第２の実施例での制御フローである。
【図４】第３の実施例での制御フローである。
【発明を実施するための形態】
【０００９】
以下に、本発明の好ましい実施の形態を、添付の図面に基づいて詳細に説明する。
【００１０】
＜ブロック図＞
図１は、本発明の実施形態にかかる撮像装置１００および撮影レンズ２００の構成ブロック図である。
【００１１】
レンズ装置としての撮影レンズ２００は、フォーカスレンズ、ズームレンズなどの光学部材からなるレンズ２０３、レンズ２０３の中の所定のレンズを駆動させるアクチュエータであるモータ２０４を有する。ズームレンズは一枚または複数枚のレンズユニットから構成され、ズームレンズの光軸方向の移動により焦点距離が変化する。また、フォーカスレンズは一枚または複数枚のレンズユニットから構成され、フォーカスレンズの光軸方向の移動により後述する撮像素子１０１に投影される被写体像の合焦状態が変化する。移動量検出ユニット２０５は、不図示の円板とＬＥＤ等の発光素子と受光素子とを備える。円板は、円周方向に沿って同一ピッチで形成した切り欠き部を有しており、モータ２０４の回転と同期して回転する。発光素子からの光が、円板を通過して受光素子に到達する状態と円板で遮光される状態とに応じた信号の変化が移動量検出ユニット２０５で検出される。
【００１２】
モータ２０４は、レンズ制御部２０８の制御指令に従って駆動制御が行われる。また、撮影レンズ２００は、例えば、書き換え可能な不揮発性記憶部２０７を有する。不揮発性記憶部２０７は、レンズ２０３を制御するにあたって調整データ等を記憶する記憶部を構成するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）を有する。記憶部２０７には、収差や周辺光量落ちなどの光学補正処理に用いられる第１の情報が保存される。
【００１３】
光学補正処理とはレンズ２０３の光学特性による影響を受けた像の画像データに対して、信号処理で補正することである。レンズ側マウント部２０９はカメラ側マウント部１０９に対応している。レンズ側マウント部２０９とカメラ側マウント部１０９には、互いに通信を行うために対応する接点（無線、有線を問わず）があり、これらの接点を介して後述するレンズ制御部２０８とカメラ制御部１０３が通信を行う。
【００１４】
撮像素子１０１にはＣＣＤやＣＭＯＳセンサなどの光電変換機能を有する素子が用いられ、撮影レンズ２００によって結像された被写体像を電気信号に変換する。Ａ／Ｄ変換器１０２は撮像素子１０１のアナログ出力信号をデジタル信号に変換する。カメラ制御部１０３は各構成要素の制御やデータ処理など撮像装置全体を制御する。また、カメラ制御部１０３は、撮影を一時的に禁止するような制御も行う。なお、撮影レンズ２００が交換されたかどうかの検知もカメラ制御部１０３で行う。
【００１５】
撮影レンズ２００が装着された際、撮影レンズ２００から、初期通信の中で第１の情報として光学補正データを取得する。この光学補正データの取得開始は、カメラ制御部１０３のレンズ制御部２０８へのリクエスト通信を契機に行う。取得した光学補正データは、メモリとしての揮発性記憶部１０４に保存する。この点、撮影レンズ２００のレンズ制御部２０８が、光学補正データの受渡として、開始タイミングの制御を行ってもよい。
【００１６】
また、第２の情報としての光学系データを、撮像素子１０１を使って画像データを取得するタイミングに合わせてレンズ制御部２０８からカメラ制御部１０３が取得するとともに、当該第２の情報としての光学系データも揮発性記憶部１０４に保存する。第２の情報としての光学系データは、レンズ位置に対応する情報や、絞りの状態を示す情報である。
【００１７】
さらに、このメモリとしての揮発性記憶部１０４には、撮像素子１０１から出力され、Ａ／Ｄ変換部１０２でデジタル信号に変換された画像データを一時的に保持する。また、カメラ制御部１０３が撮影レンズ２００から取得した第１の情報としての光学補正データを保持する。
【００１８】
不揮発性記憶部１０５にはカメラ制御部１０３が処理する撮像装置１００の実行プログラムがある。画像処理部１０６では、Ａ／Ｄ変換部１０２でデジタル信号に変換され、メモリとしての揮発性記憶部１０４に記憶された画像データに対して、いわゆる現像処理などの画像処理を行う。また、画像処理部１０６では、揮発性記憶部１０４に保持している光学補正データと第２の情報としての光学系データとを利用した光学補正処理の画像処理も行う。この際、現像処理と光学補正処理により、撮像素子１０１から出力された第１の信号を第２の信号に信号処理するもので、現像処理と光学補正処理とを合わせて実行するようにしても良いし、シリアルに実行するようにしてもよい。
【００１９】
本実施例においては、撮影レンズ２００から取得し揮発性記憶部１０４にある、第１の情報としての光学補正データと第２の情報としての光学系データとからカメラ制御部１０３が画像データに対して光学補正処理を行う。本実施例では、撮影レンズ２００が装着された際の初期通信の中で、カメラ制御部１０３が取得タイミングを制御して第１の情報をレンズ制御部２０８から取得する。一方、撮像素子１０１を使った画像データの取得のタイミングでは、光学補正データは取得せず光学系データを取得する。つまり、光学系データと光学補正データとは、互いに別途に撮影レンズ２００から取得したものである。また、光学補正処理は、光学系データによって補間された光学補正データを用いて行う。したがって、本実施例では、レンズ制御部２０８の演算負荷も減らしつつ、第１の情報としての光学補正データのデータ量を減らすことができる。このように、データ量を減らした光学補正データに基づいて、撮像素子１０１から出力された第１の信号を第２の信号に信号処理する。
【００２０】
なお、第１の情報としての光学補正データは撮影レンズ２００からマウント部２０９，１０９を介して取得するときの状態と、メモリとしての揮発性記憶部１０４にある状態とで、解凍処理等により変化してもよいし、そうした処理をせずに存在しても良い。
【００２１】
外部記憶部１０７には、現像処理や光学補正処理などを施された画像データが保存される。撮像装置１００の設定されたモードによっては、現像処理を行わずに光学補正処理を行った画像データがファイルとして構成され保存される。また、外部記憶部１０７は、インターネット等の回線を介して外部のサーバに光学補正処理された画像データをファイルとして転送する機能をもつ回路で構成してもよい。
【００２２】
表示部１０８は液晶モニタである。なお、表示部１０８は液晶モニタのほか有機ＥＬモニタなどでもよい。外部記憶部１０７に保存する、あるいは保存した画像データと対応する画像が、カメラ制御部１０３によって表示部材２０８に表示される。また、カメラ制御部１０３によって一時的に撮影禁止状態となる際には、後述するように、撮影できない状態であることをユーザーに報知するような表示を行う。操作部１０９にはスイッチ、ボタン、さらにはタッチパネルなどがあり、表示部１０８で表示されたものに対応する操作を行うようにすることもできる。
【００２３】
＜第１の実施例での制御フロー＞
以下、図２を用いて、光学特性による影響を画像処理で補正しているときに、レンズ装置としての撮影レンズ２００が別の撮影レンズ２００に交換されたときの制御処理について説明する。なお、明記しない限り、当該制御処理は、カメラ制御部１０３により行われる。
【００２４】
カメラ制御部１０３は、レンズ装置としての撮影レンズ２００が交換されたかどうかを監視している（ステップＳ１００）。ここでは、新たにレンズ装置としての撮影レンズ２００が撮像装置１００に装着されたことを検知している。新たなレンズ装置としての撮影レンズ２００が撮像装置１００に装着されたことを検知した場合には、当該撮影レンズ２００が光学補正処理の対象撮影レンズであるか否か、別言すれば、光学補正データを有する撮影レンズであるか否かを判断する（ステップＳ１５０）。レンズ側マウント部２０９にある所定の端子の抵抗値を対応するカメラ側マウント部１０９の所定の端子を介して、カメラ制御部１０３が判断する。すなわち、レンズ装置としての撮影レンズ２００は、抵抗値を変えることで、カメラ装置１００のその後の制御を変えるのである。
【００２５】
新たに装着された撮影レンズ２００が光学補正処理の対象撮影レンズであるときには、光学補正処理の状態を確認する（ステップＳ１０１）。つまり、撮影レンズ２００の光学特性による影響を画像処理で補正する処理を行っている状態であるかどうかを確認する（ステップＳ１０１）。かかる状態にあるときは、当該処理対象の画像データは、新たな撮影レンズ２００が装着される前にメモリとしての揮発性記憶部１０４にある光学補正データに基づいて画像処理されている。したがって、カメラ制御部１０３は、ステップＳ１０１で確認を行っている。
【００２６】
ここで、揮発性記憶部１０４において、光学補正データは一つのレンズ装置２００に対応する記憶容量が割り当てられている。多数のレンズ装置２００に対応する光学補正データを記憶できるような領域を割り当てると、その分記憶容量が必要になるからである。したがって、揮発性記憶部１０４において光学補正データを記憶できる領域は少なければ少ないほど、揮発性記憶部１０４の記憶容量は小さく済む。
【００２７】
上記点を踏まえると、ステップＳ１０１でＹの場合には、新たなレンズ装置としての撮影レンズ２００が撮像装置１００に装着されたことを検知しても、揮発性記憶部１０４にある光学補正データを更新しないようにする。本願実施例においては、このように揮発性記憶部１０４にある光学補正データを更新しないようにするために、次のような処理を行う。すなわち、カメラ制御部１０３は、新たな撮影レンズ２００が装着されても、ステップ１０３へ移行せず光学補正データの取得を行わない。これにより、カメラ制御部１０３は、揮発性記憶部１０４にある光学補正データを更新しないようにすることで制限を行う。
【００２８】
これにより、新たなレンズ装置としての撮影レンズ２００ではなく、画像処理を行っている画像データを撮像素子１０１で取得したときの撮影レンズ２００に対応する光学補正データを揮発性記憶部１０４に残すことができる。そして、この残っている光学補正データを適用した画像処理を実施する（ステップＳ１０２）。上述したように、光学補正データは揮発性記憶部１０４の所定アドレスに保存されているデータを利用する。レンズ交換前に撮影した画像がすべて光学補正処理されるまでステップＳ１０１、ステップＳ１０２を繰り返す。
【００２９】
新たなレンズ装置２００が装着された後ではなく、その装着の前に撮影した画像の光学補正処理がすべて完了したら、カメラ制御部１０３は、制限を解除して光学補正データの通信処理を行う（ステップＳ１０３）。光学補正データのレンズ装置２００から撮像装置１００への送信処理は、カメラ制御部１０３がレンズ制御部２０８に対して光学補正データの送信要求を行い、レンズ制御部２０８がそれに応える形で行う。
【００３０】
レンズ装置２００から送信された光学補正データは揮発性記憶部１０４の所定アドレスに保存される（ステップＳ１０４）。このとき、揮発性記憶部１０４の当該所定アドレスに既に光学補正データが存在していた場合には、既に存在していた光学補正データを新たに取得した光学補正データで更新することで、揮発性記憶部１０４に保存される。そして、新たに取得した光学補正データの保存が完了したらステップＳ１０５へ進む。
【００３１】
ステップＳ１０５では、新たに装着されたレンズ装置２００を介して撮影された画像があるかどうかを確認する。新たなレンズ装置２００が装着された状態で撮影された画像が存在する場合には、ステップＳ１０４で更新されたデータを利用して光学系補正を行う（ステップＳ１０６）。この際に利用する第２の情報としての光学系データは、撮像１０１を介して画像データを取得するタイミングに合わせて、レンズ制御部２０８からカメラ制御部１０３が取得したものである。レンズ交換後に撮影した画像処理が完了するまでステップＳ１０５、ステップＳ１０６を繰り返す。
【００３２】
上記説明した実施例によると、光学補正データを保存するためのメモリが少ない撮像装置で、光学補正処理の画像処理を適切に行うことが可能となる。
【００３３】
＜既に対応する光学補正データを撮像装置１００が有しているとき＞
上記の説明では、省略したが、ステップＳ１５０でＹｅｓであっても、既に対応する光学補正データを撮像装置１００が有しているときは、光学補正データの通信を省略する。通信量や通信時間を削減する効果を導き出すためである。これは、装着されたレンズ装置２００の認識情報であるレンズＩＤと、当該レンズＩＤに対応する光学補正データがあるか否か、レンズ装置２００に保存されている光学補正データのバージョンが新しいものであるか否か、エクステンダの装着状況から判断する。すなわち、レンズＩＤから、同じ光学補正データが保存されていると判断されたときは、レンズ装置２００からの取得を省略する。また、その際の条件は、バージョンが新しくないことが要件となる。
【００３４】
＜第２の実施例での制御フロー＞
以下、図３を用いて、画像データの光学補正処理を含む画像処理中にレンズ装置が交換された際に、撮影処理の制御処理について説明する。なお、図１と同じ番号のステップは、同様の制御処理であるので説明を省略する。また、明記しない限り当該制御処理はカメラ制御部１０３により行われる。
【００３５】
カメラ制御部１０３は、レンズ装置としての撮影レンズ２００が交換されたかどうかを検知している（ステップＳ１０７）。ここでは、新たにレンズ装置としての撮影レンズ２００が撮像装置１００に装着されたことを検知している。新たなレンズ装置としての撮影レンズ２００が撮像装置１００に装着されたことを検知した場合には、ステップＳ１５０に移行する。ステップＳ１５０は上述したとおりである。そして、対象撮影レンズである場合には（ステップＳ１５０でＹ）、カメラ制御部１０３が撮像素子１０１を使った撮影を行わないように制限制御をする（ステップＳ１０８）。
【００３６】
ここでの制限処理は、新たなレンズ装置２００が装着されたことを検知すると、カメラ制御部１０３は、撮像制限フラグをたてる。当該撮像制限フラグがたっている状態においては、たとえば、ユーザによる操作部材１０９の操作に起因する撮像指示があっても、新たに撮像素子１０１から出力される画像データの画像処理、記録処理を行わない。また、このように撮像できない状態であることをユーザに報知する。例えば、表示部材１０８に「Ｂｕｓｙ」など撮像できない状態であることを明示的に表示したり、所定音を発音させたりする。
【００３７】
上述のように撮像に制限を設けた状態にしておいて、カメラ制御部１０３は、新たなレンズ装置２００が装着される前に、撮像素子１０１の露出により光電変換され出力された画像データの光学補正処理が完了していないか確認する（ステップＳ１０９）。かかる状態にあるときは、当該処理対象の画像データは、新たな撮影レンズ２００が装着される前にメモリとしての揮発性記憶部１０４にある光学補正データに基づいて画像処理されている。したがって、カメラ制御部１０３は、ステップＳ１０９で確認を行っている。揮発性記憶部１０４において、光学補正データは一つのレンズ装置２００に対応する記憶容量が割り当てられているからである。多数のレンズ装置２００に対応する光学補正データを記憶できるような領域を割り当てると、その分記憶容量が必要になるからである。したがって、揮発性記憶部１０４において光学補正データを記憶できる領域は少なければ少ないほど、揮発性記憶部１０４の記憶容量は小さく済む。
【００３８】
上記点を踏まえると、ステップＳ１０９でＹの場合には、新たなレンズ装置としての撮影レンズ２００が撮像装置１００に装着されたことを検知しても、揮発性記憶部１０４にある光学補正データを更新しないようにする。本願実施例においては、このように揮発性記憶部１０４にある光学補正データを更新しないようにするために、次のような処理を行う。すなわち、カメラ制御部１０３は、新たな撮影レンズ２００が装着されても、ステップ１１１へ移行しない。これにより、カメラ制御部１０３は、揮発性記憶部１０４にある光学補正データを更新しないようにする。これにより、新たなレンズ装置としての撮影レンズ２００ではなく、画像処理を行っている画像データを撮像素子１０１で取得したときの撮影レンズ２００に対応する光学補正データを揮発性記憶部１０４に残すことができる。そして、この残っている光学補正データを適用した画像処理を実施する（ステップＳ１１０）。上述したように、光学補正データは揮発性記憶部１０４の所定アドレスに保存されているデータを利用する。レンズ交換前に撮影した画像がすべて光学補正処理されるまでステップＳ１０９、ステップＳ１１０を繰り返す。
【００３９】
新たレンズ装置２００が装着された後に撮像された画像ではなく、その装着の前に撮像した画像の光学補正処理がすべて完了したら、光学補正データの送信処理を行う（ステップＳ１１１）。光学補正データのレンズ装置２００から撮像装置１００への送信処理は、カメラ制御部１０３がレンズ制御部２０８に対して光学補正データの送信要求を行い、レンズ制御部２０８がそれに応える形で行う。
【００４０】
レンズ装置２００から送信された光学補正データは揮発性記憶部１０４の所定アドレスに保存される（ステップＳ１１２）。このとき、揮発性記憶部１０４の当該所定アドレスに既に光学補正データが存在していた場合には、既に存在していた光学補正データを新たに取得した光学補正データで更新することで、揮発性記憶部１０４に保存される。そして、新たに取得した光学補正データの保存が完了したらステップＳ１１３へ進む。
【００４１】
ステップＳ１１３では、カメラ制御部１０３が撮像制限フラグを下げて、撮像の制限を解除する。撮像制限フラグがたっていない状態においては、たとえば、ユーザによる操作部材１０９の操作に起因する撮影指示を受けて、撮像素子１０１から出力される画像データの画像処理、記録処理を新たに行う。また、撮影できない状態であることのユーザへの報知を停止する。例えば、表示部材１０８に「Ｂｕｓｙ」など撮影できない状態であることの明示的な表示を停止したり、所定音の発音を停止させたりする。
【００４２】
この状態で次の撮影が開始された場合には、ステップＳ１１１、ステップＳ１１２で更新され揮発性記憶部１０４の所定アドレスに保存された光学補正データを利用した光学補正処理を行う。当該光学補正データは、装着されているレンズ装置２００に対応した光学補正データである。
【００４３】
上記説明した実施例によると、光学補正データを保存するためのメモリが少ない撮像装置で、光学補正処理の画像処理を適切に行うことが可能となる。
【００４４】
＜第３の実施例での制御フロー＞
以下、図４を用いて、画像データの光学補正処理を含む画像処理中にレンズ装置が交換された際の処理について、揮発性記憶部１０４の容量が比較的に大きい場合の制御フローについて説明する。なお、明記しない限り当該制御処理はカメラ制御部１０３により行われる。
【００４５】
また、第１の実施例での図２で説明した制御フローと同じ図４のステップは、説明を省略する。
【００４６】
まず、新たなレンズ装置としての撮影レンズ２００が撮像装置１００に装着されたことを検知した場合には（ステップＳ１００でＹ）、ステップＳ１５０に移行する。そして、対象撮影レンズである場合には（ステップＳ１５０でＹ）、光学補正データの送信処理を行う（ステップＳ１１５）。光学補正データのレンズ装置２００から撮像装置１００への送信処理は、上述した第１の制御フローでのステップＳ１０３と同様である。
【００４７】
レンズ装置２００から送信された光学補正データは揮発性記憶部１０４の所定アドレスに保存される（ステップＳ１１６）。この保存は暫定であって、揮発性記憶部１０４に専用領域を設けても良いし、専用領域を設けずに保存してもよい。さらに、第２の揮発性記憶部に記憶するようにしてもよい。
【００４８】
ステップＳ１０１でＹの場合には、ステップＳ１１６で暫定的に保存した光学補正データを、画像処理の際に画像処理部１０６が参照するアドレスへとデータの更新を行う（ステップＳ１１９）。このとき、揮発性記憶部１０４の当該所定アドレスに既に光学補正データが存在していた場合には、既に存在していた光学補正データをステップＳ１１６で暫定的に保存した光学補正データで更新することで、揮発性記憶部１０４に保存される。そして、ステップＳ１１６で暫定的に保存した光学補正データの所定アドレスへの保存が完了したらステップＳ１０５へ進む。
【００４９】
なお、上記ではステップＳ１１６で暫定的に揮発性記憶部１０４に光学補正データを保存し、ステップＳ１１９で画像処理部１０６が参照するアドレスへとデータを展開する処理を説明した。この点、次の場合には、ステップＳ１１６の処理を省略するようにしてもよい。すなわち、撮影レンズ２００の光学特性による影響を画像処理で補正する処理を行っていない状態であるときである（ステップＳ１０１でＮ）。ステップＳ１１６を省略して、ステップＳ１１９へ移行することで揮発性記憶部１０８への保存処理の効率が向上する。
【００５０】
また、ステップＳ１１９では画像処理部２０６があらかじめ参照しているアドレスへデータを展開するのではなく、画像処理部２０６が参照するアドレスをすり替える。これにより、アドレスのすり替え処理の負荷が低ければ、揮発性記憶部１０８への保存処理の効率が向上するので、フロー制御でのカメラ制御部１０３の制御負荷が下げることができる。
【００５１】
第３の実施例によると、光学補正処理の最中に、補正係数テーブルを格納するレンズ装置が改めて装着されてしまう場合があっても、光学補正データをすぐに転送することができる。さらに、第１、第２の実施例で説明したように、適正な光学補正処理ができない事態を回避することができる。
【００５２】
これまでに第１、第２、および第３の実施例を説明したが、それぞれの実施例の特徴を組み合わる実施形態も想定できる。例えば、第３の実施例においても第２の実施例で説明したような撮影制御を組み合わせてもよい。たとえば、光学補正データを適用した画像処理の実施（ステップＳ１０２）、新たなレンズ装置２００が装着された状態で撮影された画像が存在する場合の光学系補正（ステップＳ１０６）が行われているときに撮影制限フラグをたてるといった具合である。
【００５３】
以上、本発明の好ましい実施形態について説明したが、本発明はこれらの実施形態に限定されず、その要旨の範囲内で種々の変形及び変更が可能である。
【符号の説明】
【００５４】
１００  撮像装置
２００  撮影レンズ
２０３  レンズ
１０１  撮像素子
２０５  移動量検出ユニット
２０７  不揮発性記憶部
２０８  レンズ制御部
【図１】
2014017769.tif 000003
【図２】
2014017769.tif 000004
【図３】
2014017769.tif 000005
【図４】
2014017769.tif 000006